(57)【要約】【課題】  ＤＶＤレコーダがインターネット上から取得した気象情報に基づいて、記録時の記録部の温度を予測し、記録部の温度が所定の温度以上にならない記録パワー及び回転速度で記録部及び該ディスク回転部を作動させることにより、記録部の熱負荷による劣化を防止する。【解決手段】制御部８は、記憶部４が予め記憶するプログラム、及び逐次記憶した所定の気象情報に基づいた気温動向と、ディスク状記録媒体５及びピックアップ６の記録パワーの発熱量を考慮してピックアップ６近傍の温度を予測する（Ｓ２０３）。スピンドルモータ７は、制御部８の設定した回転速度でディスク状記録媒体５を回転させ、ピックアップ６は最適な記録パワーでディスク状記録媒体５に電子データを記録する（Ｓ２０８）。これにより、温度センサを必要とせずにピックアップ６の熱負荷による劣化を防止することができる。【選択図】図３
2007035224.tif 000002
【特許請求の範囲】
【請求項１】
ディスク状記録媒体の回転速度を段階的に変化させることができ前記ディスク状記録媒体を回転させるディスク回転部と、前記ディスク状記録媒体の記録面に対してレーザ光を照射することによりディスク状記録媒体へデータを記録する記録部と、予め定められたプログラムを記憶する記憶部と、装置全体を制御する制御部と、を備えたＤＶＤレコーダにおいて、
インターネットに接続され定期的にインターネット上の特定のサイトに接続して気象情報を取得するインターネット情報取得部を備え、
前記記録部は、記録時に出力する記録パワーを調節する最適パワーコントロール（ＯＰＣ）機能を備え、
前記記憶部は、前記インターネット情報取得部が取得した前記気象情報を逐次記憶し、
前記制御部は、前記記憶部が記憶する予め定められたプログラム及び前記気象情報に基づいて気温動向を予測する気温動向予測手段と、該気温動向予測手段に予測された気温動向に基づいて前記最適パワーコントロール機能の記録パワーを決定する記録パワー決定手段と、該気温動向予測手段に予測された気温動向に基づいて前記ディスク回転部の回転速度を決定する回転速度決定手段を備え、該ディスク回転部及び該記録部からの発熱による熱負荷に対する耐久性が比較的低い該記録部の温度上昇による記録品質の劣化を防止するために、該記録パワー決定手段及び該回転速度決定手段に該気温動向予測手段が予測した気温動向に基づいて記録時に最適な記録パワー及び回転速度を決定させ、この決定した記録パワー及び回転速度で該記録部及び該ディスク回転部を作動させることを特徴とするＤＶＤレコーダ。
【請求項２】
ディスク状記録媒体の回転速度を段階的に変化させることができ前記ディスク状記録媒体を回転させるディスク回転部と、前記ディスク状記録媒体の記録面に対してレーザ光を照射することによりディスク状記録媒体へデータを記録する記録部と、予め定められたプログラムを記憶する記憶部と、装置全体を制御する制御部と、を備えたＤＶＤレコーダにおいて、
ユーザからの気象情報を受付ける気象情報受付部を備え、
前記記録部は、記録時に出力する記録パワーを調節する最適パワーコントロール（ＯＰＣ）機能を備え、
前記記憶部は、前記気象情報受付部が取得した前記気象情報を記憶し、
前記制御部は、前記記憶部が記憶する予め定められたプログラム及び前記気象情報に基づいて気温動向を予測する気温動向予測手段と、該気温動向予測手段に予測された気温動向に基づいて前記最適パワーコントロール機能の記録パワーを決定する記録パワー決定手段と、該気温動向予測手段に予測された気温動向に基づいて前記ディスク回転部の回転速度を決定する回転速度決定手段を備え、該ディスク回転部及び該記録部からの発熱による熱負荷に対する耐久性が比較的低い該記録部の温度上昇による記録品質の劣化を防止するために、該記録パワー決定手段及び該回転速度決定手段に該気温動向予測手段が予測した気温動向に基づいて記録時に最適な記録パワー及び回転速度を決定させ、この決定した記録パワー及び回転速度で該記録部及び該ディスク回転部を作動させることを特徴とするＤＶＤレコーダ。
【請求項３】
前記気象情報受付部は、インターネットに接続されインターネット上の特定のサイトに接続して気象情報を取得するインターネット情報取得部を備え、
前記記憶部は、前記気象情報受付部が取得した前記気象情報を逐次記憶することを特徴とする請求項２に記載のＤＶＤレコーダ。
【発明の詳細な説明】
【技術分野】
【０００１】
本発明は、ディスク状記録媒体へのデータ記録時に、記録部の温度が一定以上に上昇しないディスク回転速度及び記録パワーを取得した気象情報を考慮して決定する機能を備えたＤＶＤレコーダに関する。
【背景技術】
【０００２】
従来、ディスク状記録媒体の記録面に対してレーザ光を照射することによりディスク状記録媒体へデータを記録するＤＶＤレコーダにおいて、レーザ光を照射する記録部が熱負荷に対する耐久性が低く熱負荷により劣化するのを防止するために、ディスク回転部の回転による発熱、及び最適パワーコントロール機能から記録パワーが出力されることによる発熱を抑える必要があった。そこで、例えば、特許文献１，２に示されるように、記録部近傍に温度センサを備え、温度センサが所定の温度以上であることを検出すると、発熱源であるディスク回転部の回転速度を下げると共に、最適パワーコントロール機能が出力する記録パワーを抑えることで、記録部の温度を低下させることで記録部の熱負荷による劣化を防止するＤＶＤレコーダが知られている。
【０００３】
しかしながら、上記いずれの特許文献に示される技術においても、精密部品である記録部近傍に温度センサを取付ける必要があった。これにより、温度センサの部品コストが必要な上、記録部近傍に温度センサを取付ける精密な組立技術が要求される組立作業による作業効率の悪化が問題となっていた。
【特許文献１】２００４−３３４９４０号公報
【特許文献２】２００４−２６５４６３号公報
【発明の開示】
【発明が解決しようとする課題】
【０００４】
本発明は、上記課題を解決するものであって、ユーザによってＤＶＤレコーダに入力された気象情報、及びインターネットに接続されたＤＶＤレコーダがインターネット上から取得した気象情報に基づいて、記録時における記録部の温度を予測し、記録部の温度が所定の温度以上にならない記録パワー及び回転速度で記録部及び該ディスク回転部を作動させることにより、記録部近傍に温度センサを必要とせずに記録部の熱負荷による劣化を防止することで、記録品質を維持することができるＤＶＤレコーダを提供することを目的とする。
【課題を解決するための手段】
【０００５】
上記課題を解決するために、請求項１の発明は、ディスク状記録媒体の回転速度を段階的に変化させることができディスク状記録媒体を回転させるディスク回転部と、ディスク状記録媒体の記録面に対してレーザ光を照射することによりディスク状記録媒体へデータを記録する記録部と、予め定められたプログラムを記憶する記憶部と、装置全体を制御する制御部と、を備えたＤＶＤレコーダにおいて、インターネットに接続され定期的にインターネット上の特定のサイトに接続して気象情報を取得するインターネット情報取得部を備え、記録部は、記録時に出力する記録パワーを調節する最適パワーコントロール（ＯＰＣ）機能を備え、記憶部は、インターネット情報取得部が取得した気象情報を逐次記憶し、制御部は、記憶部が記憶する予め定められたプログラム及び気象情報に基づいて気温動向を予測する気温動向予測手段と、該気温動向予測手段に予測された気温動向に基づいて最適パワーコントロール機能の記録パワーを決定する記録パワー決定手段と、該気温動向予測手段に予測された気温動向に基づいてディスク回転部の回転速度を決定する回転速度決定手段を備え、該ディスク回転部及び該記録部からの発熱による熱負荷に対する耐久性が比較的低い該記録部の温度上昇による記録品質の劣化を防止するために、該記録パワー決定手段及び該回転速度決定手段に該気温動向予測手段が予測した気温動向に基づいて記録時に最適な記録パワー及び回転速度を決定させ、この決定した記録パワー及び回転速度で該記録部及び該ディスク回転部を作動させるようにしたものである。
【０００６】
また、請求項２の発明は、ディスク状記録媒体の回転速度を段階的に変化させることができディスク状記録媒体を回転させるディスク回転部と、ディスク状記録媒体の記録面に対してレーザ光を照射することによりディスク状記録媒体へデータを記録する記録部と、予め定められたプログラムを記憶する記憶部と、装置全体を制御する制御部と、を備えたＤＶＤレコーダにおいて、ユーザからの気象情報を受付ける気象情報受付部を備え、記録部は、記録時に出力する記録パワーを調節する最適パワーコントロール（ＯＰＣ）機能を備え、記憶部は、気象情報受付部が取得した気象情報を記憶し、制御部は、記憶部が記憶する予め定められたプログラム及び気象情報に基づいて気温動向を予測する気温動向予測手段と、該気温動向予測手段に予測された気温動向に基づいて最適パワーコントロール機能の記録パワーを決定する記録パワー決定手段と、該気温動向予測手段に予測された気温動向に基づいてディスク回転部の回転速度を決定する回転速度決定手段を備え、該ディスク回転部及び該記録部からの発熱による熱負荷に対する耐久性が比較的低い該記録部の温度上昇による記録品質の劣化を防止するために、該記録パワー決定手段及び該回転速度決定手段に該気温動向予測手段が予測した気温動向に基づいて記録時に最適な記録パワー及び回転速度を決定させ、この決定した記録パワー及び回転速度で該記録部及び該ディスク回転部を作動させるようにしたものである。
【０００７】
また、請求項３の発明は、請求項２において、気象情報受付部は、インターネットに接続されインターネット上の特定のサイトに接続して気象情報を取得するインターネット情報取得部を備え、記憶部は、気象情報受付部が取得した気象情報を逐次記憶させるものである。
【発明の効果】
【０００８】
請求項１の発明によれば、インターネットに接続された特定のサイトから定期的に気象情報を取得し、取得した気象情報を逐次記憶部に記憶する。制御部は、記憶部が予め記憶するプログラム、及び定期的に取得した気象情報から気温動向を予測し、この予測した気温動向に基づいて記録時に記録部の温度が所定の温度以上にならない記録パワー及び回転速度で記録部及びディスク回転部を作動させる。これにより、記録部の温度が所定の温度以上になることを回避できるため、記録部の熱負荷による劣化を防止することで記録品質を維持できるのと同時に、記録部近傍に温度センサを備える必要がなくなるため温度センサの部品コストを軽減することができると共に、記録部近傍に温度センサを取付ける精密な組立技術が不要となるため組立作業効率の向上を図ることができる。
【０００９】
請求項２の発明によれば、ユーザからの気象情報を受付け、受付けた気象情報を記憶部に記憶する。制御部は、記憶部が予め記憶するプログラム、及びユーザから受付けた気象情報から気温動向を予測し、この予測した気温動向に基づいて記録時に記録部の温度が所定の温度以上にならない記録パワー及び回転速度で記録部及びディスク回転部を作動させる。これにより、記録部の温度が所定の温度以上になることを回避できるため、記録部の熱負荷による劣化を防止することで記録品質を維持できるのと同時に、記録部近傍に温度センサを備える必要がなくなるため温度センサの部品コストを軽減することができると共に、記録部近傍に温度センサを取付ける精密な組立技術が不要となるため組立作業効率の向上を図ることができる。
【００１０】
請求項３の発明によれば、ユーザからの気象情報を受付けると共に、インターネットに接続された特定のサイトから定期的に気象情報を取得し、取得した気象情報を逐次記憶部に記憶する。制御部は、記憶部が予め記憶するプログラム、ユーザから受付けた気象情報、及び定期的に取得した気象情報から気温動向を予測し、この予測した気温動向に基づいて記録時に記録部の温度が所定の温度以上にならない記録パワーと回転速度とで記録部とディスク回転部とを作動させる。
【発明を実施するための最良の形態】
【００１１】
以下、本発明の実施形態に係るＤＶＤレコーダについて、図面を参照して説明する。図１は、本発明の第１の実施形態に係るＤＶＤレコーダの概略構成を示す。ＤＶＤレコーダ１はインターネット２に接続し気象情報を取得するインターネット情報取得部３と、予め定められたプログラムとインターネット情報取得部３が取得した気象情報とを記憶する記憶部４と、ＤＶＤレコーダ１の所定位置に装着されたディスク状記録媒体５の記録面にレーザ光を照射することにより電子データを記録する記録部６（以下、ピックアップ６という）と、ディスク状記録媒体５を回転させるディスク回転部７（以下、スピンドルモータ７という）と、上記各部を制御する制御部８とを備える。
【００１２】
インターネット情報取得部３は、予め定められたインターネット２上の気象情報サイト９に接続して必要な気象情報、例えば、取得時の気温、予想最高気温、取得時の天候、降水確率、取得時の湿度などを取得する。ここで、記憶部４とは、例えばハードディスクや不揮発性メモリであるＦＲＡＭ（Ｆｅｒｒｏｅｌｅｃｔｒｉｃ  Ｒａｎｄａｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、フラッシュメモリなどである。また、ディスク状記録媒体５とは、例えばＤＶＤ−Ｒ（Ｄｉｇｉｔａｌ  Ｖｅｒｓａｔｉｌｅ  Ｄｉｓｋ−Ｒｅｃｏｒｄａｂｌｅ）、ＤＶＤ−ＲＷ（Ｄｉｇｉｔａｌ  Ｖｅｒｓａｔｉｌｅ  Ｄｉｓｋ−ＲｅＷｒｉｔａｂｌｅ）などである。
【００１３】
ピックアップ６は、ディスク状記録媒体５へ電子データを記録する際、ディスク膜の記録感度、温度、レーザ波長変動による記録状態の違いなどにより、レーザ光の記録パワーを調整する最適パワーコントロール（Ｏｐｔｉｍｕｍ  Ｐｏｗｅｒ  Ｃｏｎｔｒｏｌ）機能を備える。また、スピンドルモータ７は、ディスク状記録媒体５へ電子データを記録する際、記録時間を短縮するためにディスク状記録媒体５の回転速度を段階的に変化させることができる。例えば、通常の記録時の回転速度を１倍速とすると、スピンドルモータ７は回転速度を１６倍速、８倍速、４倍速、２倍速、１倍速と変化させることができる。
【００１４】
図２は、同ＤＶＤレコーダの気象情報を取得する動作フローを示す。ＤＶＤレコーダ１は電源を投入されると（Ｓ１０１）、インターネット情報取得部３はインターネット２上の予め定められた気象情報サイト９に接続し（Ｓ１０２）、所定の気象情報を取得する（Ｓ１０３）。ここでは、所定の気象情報として、取得時の気温、予想最高気温、取得時の天候を取得するものとし、また、上記電源投入は、任意に設定可能な時間毎に行なわれるものとする。
【００１５】
制御部８は、インターネット情報取得部３が取得した気象情報を記憶部４に記憶させるときに、記憶部４の記憶容量の空き状態を調べる（Ｓ１０４）。記憶部４の記憶容量に空きが無い場合は、記憶部４が記憶する気象情報の中でもっとも古いものを１件削除する（Ｓ１０６）。ステップＳ１０６で気象情報を１件削除したとき、又はステップＳ１０４で記憶部４の記憶容量に空きがあるとき、制御部８は、インターネット情報取得部３が取得した気象情報を記憶部４に記憶させる（Ｓ１０５）。
【００１６】
制御部８が記憶部４に気象情報を記憶させると、インターネット情報取得部３はインターネット２上の気象情報サイト９への接続を切断する（Ｓ１０７）。さらに、刻々と変化する最新の気象情報を取得するため、インターネット情報取得部３は所定の時間が経過すると（Ｓ１０８でＹｅｓ）再びインターネット２上の気象情報サイト９へ接続し最新の気象情報を取得する。インターネット情報取得部３は、ステップＳ１０８で所定の時間が経過せず（Ｓ１０８でＮｏ）、電源を切断されないときは（Ｓ１０９でＮｏ）再び所定の時間が経過するかを判断し（Ｓ１０８）、電源が切断されると（Ｓ１０９でＹｅｓ）気象情報の取得を終了する。ここで、所定の時間とは予め定められた時間であり、例えば８時間、１２時間などであるが、例えば午前８時など所定の時刻になると、ＤＶＤレコーダの電源が投入されていない場合であっても自動的に電源が投入され、又はバッテリーの電源を用いるなどして、インターネット情報取得部３がインターネット２上の気象情報サイト９へ接続して気象情報を取得する構成としても構わない。これにより、定期的に気象情報を取得することが可能となる。
【００１７】
図３は、同ＤＶＤレコーダの記録動作フローを示す。ＤＶＤレコーダ１の所定位置にディスク状記録媒体５が装着され電子データの記録が開始されると（Ｓ２０１）、制御部８は、記録時間を短縮するためにスピンドルモータ７のディスク状記録媒体５を回転させる回転速度を最速に設定する（Ｓ２０２）。ここで、最速の回転速度とは、例えば１６倍速である。
【００１８】
次に、制御部８は、記憶部４が予め記憶するプログラム、及び逐次記憶した所定の気象情報である取得時の気温、予想最高気温、取得時の天候に基づいた気温動向と、ディスク状記録媒体５の回転速度及びピックアップ６が照射するレーザ光の記録パワーの発熱量を考慮してピックアップ６近傍の温度を予測する（Ｓ２０３）。予測したピックアップ６近傍の温度が所定の温度以上でないとき（Ｓ２０４でＮｏ）、スピンドルモータ７は、制御部８の設定した最速の回転速度である１６倍速でディスク状記録媒体５を回転させ、ピックアップ６は最適パワーコントロール機能により回転速度に応じた最適な記録パワーでディスク状記録媒体５に電子データを記録する（Ｓ２０８）。
【００１９】
ステップＳ２０４で予測したピックアップ近傍の温度が所定の温度以上のとき（Ｓ２０４でＹｅｓ）、制御部８は、スピンドルモータ７の回転速度が最低速であるか否かを判断する（Ｓ２０５）。ここで、スピンドルモータ７の最低回転速度は１倍速である。スピンドルモータ７の回転速度が最低速でないとき（Ｓ２０５でＮｏ）、制御部８は、記憶部４が予め記憶するプログラム、及び逐次記憶した所定の気象情報である取得時の気温、予想最高気温、取得時の天候に基づいた気温動向と、ディスク状記録媒体５の回転速度及びピックアップ６が照射するレーザ光の記録パワーの発熱量から、ピックアップ６近傍の温度が所定の温度以上にならいスピンドルモータ７の回転速度を決定し（Ｓ２０６）、ピックアップ６は最適パワーコントロール機能により８倍速の回転速度に応じた最適な記録パワーを決定する（Ｓ２０７）。
【００２０】
スピンドルモータ７は、制御部８の設定した回転速度である８倍速でディスク状記録媒体５を回転させ、ピックアップ６は最適パワーコントロール機能により８倍速の回転速度に応じた最適な記録パワーでディスク状記録媒体５に電子データを記録する（Ｓ２０８）。ディスク状記録媒体５への電子データの記録が完了しない間は（Ｓ２０９でＮｏ）、ステップＳ２０３に戻って、制御部８は、記憶部４に最新の気象情報が記憶されていないかを確認し、記憶部４が記憶する気象情報、現在のスピンドルモータ７の回転速度及びピックアップ６の記録パワーの発熱量から、ピックアップ６近傍の温度が所定の温度以上になるか否かを判断する処理を繰り返す（Ｓ２０３〜Ｓ２０８）。ステップＳ２０９で、ディスク状記録媒体５への電子データの記録が完了したときは（Ｓ２０９でＹｅｓ）、記録動作を終了する。これにより、ピックアップ６近傍に温度センサを取付けることなく記録時におけるピックアップ６の温度上昇を防止することができる。
【００２１】
図４（ａ）（ｂ）は、本発明の第２の実施形態に係るＤＶＤレコーダを示す。図４（ａ）は、ＤＶＤレコーダ１がパーソナルコンピュータ１０（以下、パソコン１０）に接続された状態を示し、図４（ｂ）は、ＤＶＤレコーダ１がテレビ１３に接続された状態を示す。図４（ａ）において、ＤＶＤレコーダ１は、パソコン１０にケーブル１１で接続されている。ここでケーブル１１は、例えば、シリアルケーブル、ＬＡＮケーブル、ＵＳＢケーブルなどである。パソコン１０はインターネット２上の気象情報サイト９に接続すると共に、ユーザからの入力を受付けるキーボード１２を備える。これにより、ＤＶＤレコーダ１は、パソコン１０がインターネット２上の気象情報サイト９に接続して取得した気象情報に加え、ユーザがキーボード１２からパソコン１０に入力した気象情報を取得することができる。
【００２２】
図４（ｂ）において、ＤＶＤレコーダ１はテレビ１３にオーディオケーブル１４で接続されており、ＤＶＤレコーダ前面には、ユーザからの気象情報を受付ける気象情報受付部１５と、この受付けた気象情報を表示する表示パネル１６とを備える。これにより、ＤＶＤレコーダ１は、インターネット情報取得部３が取得した気象情報に加え、ユーザが気象情報受付部１５に入力した気象情報を取得することができる。
【００２３】
以上のように第１の実施形態のＤＶＤレコーダ１においては、インターネットに接続された特定のサイトから定期的に気象情報を取得し、取得した気象情報を逐次記憶部に記憶する。制御部は、記憶部が予め記憶するプログラム、及び定期的に取得した気象情報から気温動向を予測し、この予測した気温動向に基づいて記録時に記録部の温度が所定の温度以上にならない記録パワー及び回転速度で記録部及びディスク回転部を作動させる。これにより、記録部の温度が所定の温度以上になることを回避できるため、記録部の熱負荷による劣化を防止することで記録品質を維持できるのと同時に、記録部近傍に温度センサを備える必要がなくなるため温度センサの部品コストを軽減することができると共に、記録部近傍に温度センサを取付ける精密な組立技術が不要となるため組立作業効率の向上を図ることができる。
【００２４】
また、ユーザからの気象情報を受付ける気象情報受付部を備えることにより、現在の室温などＤＶＤレコーダの環境に応じた気象情報を取得することができる。また、ユーザからの気象情報を受付ける気象情報受付部から受付けると共に、インターネットに接続された特定のサイトから定期的に気象情報を取得することも可能である。制御部は、記憶部が予め記憶するプログラム、及びユーザから受付けた気象情報から気温動向を予測し、この予測した気温動向に基づいて記録時に記録部の温度が所定の温度以上にならない記録パワー及び回転速度で記録部及びディスク回転部を作動させる。これにより、記録部の温度が所定の温度以上になることを回避できるため、記録部の熱負荷による劣化を防止することで記録品質を維持できるのと同時に、記録部近傍に温度センサを備える必要がなくなるため温度センサの部品コストを軽減することができると共に、記録部近傍に温度センサを取付ける精密な組立技術が不要となるため組立作業効率の向上を図ることができる。
【００２５】
なお、本発明は、上記実施形態の構成に限られず、種々の変形が可能であり、例えば、インターネット２上の気象情報サイト９へ常時接続する構成でも構わない。また、ＤＶＤレコーダ１は、パソコン１０に接続する場合に限られず、パソコン１０の内部に設けられる構成であっても構わない。
【図面の簡単な説明】
【００２６】
【図１】本発明の第１の実施形態に係るＤＶＤレコーダを示すブロック図。
【図２】同ＤＶＤレコーダの気象情報を取得する動作フロー。
【図３】同ＤＶＤレコーダの記録動作フロー。
【図４】（ａ）（ｂ）はそれぞれ本発明の第２の実施形態に係るＤＶＤレコーダを示す説明図。
【符号の説明】
【００２７】
１  ＤＶＤレコーダ
２  インターネット
３  インターネット情報取得部
４  記憶部
５  ディスク状記録媒体
６  記録部（ピックアップ）
７  ディスク回転部（スピンドルモータ）
８  制御部
１２  気象情報受付部（キーボード）
１５  気象情報受付部
【図１】
2007035224.tif 000003
【図２】
2007035224.tif 000004
【図３】
2007035224.tif 000005
【図４】
2007035224.tif 000006